(57)【要約】【課題】必要とするメモリ容量を抑制し、映像記録部へのデータ転送量を低減することができる画像符号化装置を提供する。【解決手段】高画質な画像データを記録部１０６に記録すると共に、量子化後のＤＣＴ変換係数に対して所定の高周波係数を削除して記憶する一時記憶部１０５と、Ｔ１時間事象が発生しない場合に、前記一部記憶部に記憶した当該係数に対してＶＬＣを行い、前記記録部に記録して、対応する高画質な画像データを前記記録部から削除する制御部１０７を設けた構成とする。【選択図】図１
2007019817.tif 000002
【特許請求の範囲】
【請求項１】
光信号を電気信号に変換する撮像素子と、アナログ信号をデジタル信号に変換するＡ／Ｄ変換器と、前記デジタル信号から所要の符号化画像データを生成する符号化部と、中途段階まで符号化した画像データを所定時間保持しておく一時記憶部と、完全に符号化した画像データを記録する記録部と、画像データの符号化及び取捨選択に関わる処理を制御する制御部と、撮像近傍の異常な事象を検出する事象検出部とを備え、
前記制御部は、符号化のピクチャタイプ及び前記事象検出部による事象検出の有無の条件に基づいて、前記一時記憶部に記憶した中途段階まで符号化した画像データ並びに前記記憶部に記録した完全に符号化した画像データの、保持または削除を判断することを特徴とする画像符号化装置。
【請求項２】
前記制御部は、前記記録部への画像データ記録後に所定時間が経過し、且つ前記事象検出部による事象検出がない場合、符号化した高画質な画像データを、ピクチャタイプに基づいて間引き、低画質な画像データに処理した後に前記記録部に間欠記録すると共に、前記符号化した高画質な画像データ部分を削除し、
前記事象検出部による事象検出がある場合、事象発生前後の予め設定した時間だけ前記符号化した高画質な画像データを前記記録部に保持することを特徴とする請求項１記載の画像符号化装置。
【請求項３】
前記制御部は、中途段階まで符号化した画像データの所定の変換係数だけを、前記一時記憶部に記憶することを特徴とする請求項１又は２記載の画像符号化装置。
【請求項４】
事象発生後にユーザーが前記事象発生前後の映像を不要と判断した場合、前記制御部は、事象発生前後の前記高画質な画像データを前記記録部から取り出し、中途段階まで復号処理をし、所定の変換係数だけを用いて再度符号化した低画質な画像データを、前記記録部に間欠記録することを特徴とする請求項1から３のいずれか一項記載の画像符号化装置。
【請求項５】
ユーザーが事象発生の前後に画像データを記録したい時間と、事象未発生時に間引いて画像データを記録する間欠記録時間を、パラメータとして入力する入力部とをさらに備え、前記制御部が、前記パラメータと使用可能なメモリ容量から一時記憶部に何れの変換係数を記憶するかを決定することを特徴とする請求項１から４のいずれか一項記載の画像符号化装置。
【請求項６】
ユーザーが設定した前記パラメータにより記憶される画像データの画質を確認する表示部を備えることを特徴とする請求項５記載の画像符号化装置。
【発明の詳細な説明】
【技術分野】
【０００１】
本発明は監視対象の映像を記録する映像監視システムの画像符号化装置に関し、特に、事象発生時に高画質な映像を記録するようにした画像符号化装置に関するものである。
【背景技術】
【０００２】
近年、防犯等を目的とした映像監視システムが各種提案されている（例えば、特許文献１参照）。
【０００３】
図１０は、従来の映像監視システムにおける画像符号化装置の構成を示すブロック図である。画像符号化装置４０１は、撮像素子４０２と、監視対象で発生した異常な事象を検出する事象検出部４０３と、時間情報を出力する時計部４０４と、撮像素子４０２からの高画質な画像データを記録すると共に、後述する映像変換部からの低画質な画像データを記録する映像記録部４０５と、映像記録部４０５から読み出した高画質な画像データを低画質な画像データに変換する映像変換部４０６と、事象検出部４０３及び時計部４０４からの情報に基づいて、映像記録部４０５に対する映像情報の記録を制御する書き込み制御部４０７と、で構成される。
【０００４】
上記構成の従来の画像符号化装置の動作について説明する。映像記録部４０５は、撮像素子４０２からの高画質画像データを記録すると共に、映像変換部４０６からの低画質画像データを記録する。そして、通常、即ち異常な事象が発生しない場合、書き込み制御部４０７は、現在時刻から所定の設定時間を差し引いた時刻以前の高画質画像データを映像記録部４０５から順次消去するように制御を行っている。
【特許文献１】特開２００４−３５６９５６号公報（第４−６頁、第２図）
【発明の開示】
【発明が解決しようとする課題】
【０００５】
しかしながら、従来の画像符号化装置では、映像記録部４０５に対して高画質な画像データの書き込み及び読み出しと、低画質な画像データの書き込みという３種類のデータ転送が行われるため、高画質な画像データの書き込みだけが行われる場合に比べてデータ転送量が非常に多くなるという問題があった。
【０００６】
道路、店舗、倉庫等の監視システムでは、通常、複数の監視カメラ（撮像素子）からの映像を一つの映像記録部４０５に記録することが多く、従って、複数の映像を同時に処理するためには映像記録部４０５へのデータ転送量を低減する必要がある。
【０００７】
本発明は  従来の問題を解決するためになされたもので、中途段階まで符号化した画像データの所定の変換係数のみを、一時記憶部に間欠記憶しておくことにより、必要とするメモリ容量を抑制し、映像記録部へのデータ転送量を低減することができる画像符号化装置を提供することを目的とする。
【課題を解決するための手段】
【０００８】
本発明の画像符号化装置は、光信号を電気信号に変換する撮像素子と、アナログ信号をデジタル信号に変換するＡ／Ｄ変換器と、前記デジタル信号から所要の符号化画像データを生成する符号化部と、中途段階まで符号化した画像データを所定時間保持しておく一時記憶部と、完全に符号化した画像データを記録する記録部と、画像データの符号化及び取捨選択に関わる処理を制御する制御部と、撮像近傍の異常な事象を検出する事象検出部とを備え、前記制御部は、符号化のピクチャタイプ及び前記事象検出部による事象検出の有無の条件に基づいて、前記一時記憶部に記憶した中途段階まで符号化した画像データ並びに前記記憶部に記録した完全に符号化した画像データの、保持または削除を判断することを特徴とする。
この構成により、必要とするメモリ容量及び記録部へのデータ転送量を抑制し、且つ事象発生前後の高画質な画像データを記録することができる。
【０００９】
また、本発明の画像符号化装置は、前記制御部は、前記記録部への画像データ記録後に所定時間が経過し、且つ前記事象検出部による事象検出がない場合、符号化した高画質な画像データを、ピクチャタイプに基づいて間引き、低画質な画像データに処理した後に前記記録部に間欠記録すると共に、前記符号化した高画質な画像データ部分を削除し、前記事象検出部による事象検出がある場合、事象発生前後の予め設定した時間だけ前記符号化した高画質な画像データを前記記録部に保持することを特徴とする。
この構成により、必要とするメモリ容量及び記録部へのデータ転送量を抑制し、且つ事象発生前後の高画質な画像データを記録することができる。
また、通常時、即ち異常な事象が発生しない状態では、低画質な間欠画像データが記録部に記録されるため、記録部の記憶容量を節約でき、より長時間の記録や、画像符号化装置の製造コスト低減が可能となる。
【００１０】
また、本発明の画像符号化装置は、前記制御部は、中途段階まで符号化した画像データの所定の変換係数だけを、前記一時記憶部に記憶することを特徴とする。
この構成により、異常な事象が発生しないときに記録する低画質な画像データの画質を調整することができる。
【００１１】
また、本発明の画像符号化装置は、事象発生後にユーザーが前記事象発生前後の映像を不要と判断した場合、前記制御部は、事象発生前後の前記高画質な画像データを前記記録部から取り出し、中途段階まで復号処理をし、所定の変換係数だけを用いて再度符号化した低画質な画像データを、前記記録部に間欠記録することを特徴とする。
この構成により、事象に関連する高画質な画像データでも、ユーザーが不要と判断した画像は低画質な間欠画像データに順次変換されるため、記録部の記憶容量を節約でき、より長時間の記録や、画像符号化装置の製造コスト低減が可能となる。
【００１２】
また、本発明の画像符号化装置は、ユーザーが事象発生の前後に画像データを記録したい時間と、事象未発生時に間引いて画像データを記録する間欠記録時間を、パラメータとして入力する入力部とをさらに備え、前記制御部が、前記パラメータと使用可能なメモリ容量から一時記憶部に何れの変換係数を記憶するかを決定することを特徴とする。
この構成により、所定のメモリ容量を用いて、ユーザーの入力した事象発生前後の記録時間と間欠記録時間を満たす、低画質な間欠画像データを記録することができる。
【００１３】
また、本発明の画像符号化装置は、ユーザーが設定した前記パラメータにより記憶される画像データの画質を確認する表示部を備えることを特徴とする。
この構成により、ユーザーは自分が設定した前記パラメータにより記録される、低画質な間欠画像データの画質を確認することができる。
【発明の効果】
【００１４】
本発明は、必要とするメモリ容量及び映像記録部へのデータ転送量を抑制し、且つ事象発生前後の高画質な画像データを記録することができる。また、通常時、即ち異常な事象が発生しない状態では、低画質な間欠画像データが記録部に記録されるため、記録部の記憶容量を節約でき、より長時間の記録や、画像符号化装置の製造コスト低減が可能となる。
【発明を実施するための最良の形態】
【００１５】
以下、本発明の実施形態の画像符号化装置について、図面を用いて説明する。
【００１６】
図１は、本発明の実施の形態１における画像符号化装置の内部構成を示すブロック図である。画像符号化装置１０１は、光信号を電気信号に変換する固体撮像素子１０２と、電気信号であるアナログ信号をデジタル信号に変換するＡ／Ｄ変換器１０３と、デジタル信号から所要の符号化画像データを生成する符号化部１０４と、中途段階まで符号化した画像データを所定時間保持しておく一時記憶部１０５と、完全に符号化した画像データを記録する記録部１０６と、中途段階まで符号化した画像データまたは完全に符号化した画像データを、符号化及び取捨選択する処理を制御する制御部１０７と、撮像近傍の異常な事象を検出する事象検出部１０８とを有する。
【００１７】
符号化部１０４では、Ａ／Ｄ変換器１０３からのデジタル信号を符号化する際に、１フレームのみによる符号化を行ってＩピクチャを生成する。また、画面間符号化として、現在と過去のフレームの関係を用いた前方向予測によるＰピクチャの生成や、過去と未来のフレームを用いた双方向予測によるＢピクチャの生成を行う。１つのＩピクチャとそれに続く、複数枚のＰ又はＢピクチャの画像の組をＧＯＰ（Group Of Piccture）と称する。
【００１８】
符号化部１０４では、ＤＣＴ（Discrete Cosine Transform：離散コサイン変換）１０９により周波数領域に変換された係数が、量子化１１０により量子化される。更に、高周波削除１１７は、制御部１０７からの制御により、量子化後の係数に対して、当該係数の所定の高周波係数を削除する（即ち、レベルを０にする）。これにより高画質な画像データは、データ量の少ない低画質データに変換される。
【００１９】
図２は、本発明の実施の形態１における画像符号化装置の動作手順を示すフロー図である。はじめに、制御部１０７は、事象発生前の記録時間［Ｔ1］、事象発生後の記録時間［Ｔ２］及び間欠時間［ｔｄ］に基づいて変数を設定し（ステップＳ１０１）、一時記憶部１０５を初期化する（ステップＳ１０２）。
【００２０】
撮像素子からのデジタル信号は、符号化部１０４で１フレーム分の高画質な画像データに符号化される（ステップＳ１０３）。このとき間欠時間［ｔｄ］毎に、１枚のＩピクチャと複数枚のＰピクチャが生成される。これにより、１間欠時間［ｔｄ］毎に１ＧＯＰのデータが生成される。図３は、本発明の実施の形態１における画像符号化装置の、記憶部及び一時記憶部内の画像データの状態を示す図である。図に示すように、本実施の形態では、間欠時間［ｔｄ］に取得されるフレーム数は４枚で、Ｂピクチャは生成されずＰピクチャのみの画面間符号化を行っている。また、本実施の形態では、事象発生前の記録時間Ｔ１を３ＧＯＰ分の時間、事象発生後の記録時間Ｔ２を２ＧＯＰ分の時間、それぞれ記録するものとして説明する。
【００２１】
次に、符号化した高画質な画像データ（Ｉ）が記録部１０６に記録される（ステップＳ１０４）。同時に、制御部１０７は、記録した画像データがＩピクチャであるか否かの判定（ステップＳ１０５）と、事象が検出されているか否かの判定（ステップＳ１０６）を行う。時刻ｔ０において記録した画像データはＩピクチャであり、且つ事象が検出されていないため、ステップＳ１１０の判定へ移行する。この場合Ｘ２＞０ではないので、更にステップＳ１１２へ移行し、一時記憶部１０５にＩピクチャの量子化したＤＣＴ変換係数を、高周波削除１１７により所定の高周波係数を削除した後、低画質な画像データ（Ｉ'）として記憶させ（ステップＳ１１２）、変数を更新する（ステップＳ１１３）。
【００２２】
次に、制御部１０７は、一時記憶部１０５に時刻Ｔ１以前のデータが記憶されているか否かを判断する（ステップＳ１１４）。この段階では一時記憶部１０５に以前のデータは記憶されていないので、ステップＳ１０３へ戻り、次フレームの高画質な画像データの符号化を行う。
【００２３】
時刻ｔ１の前までは符号化した画像データがＰピクチャであるので、ステップＳ１０３からステップＳ１０５までの、画像データの符号化と高画質な画像データの記録部１０６への記録がＰピクチャの枚数だけ繰り返される。以降の時刻ｔ１、時刻ｔ２では時刻ｔ０と同様の処理が実行されるので、それらについての説明は省略する。
【００２４】
図３では、記録部１０６に記録されている高画質なＧＯＰ（１つのＩと３つのＰで構成され、それぞれＶＬＣ（Variable Length Coding)１１１により可変長符号化されている）をＨ１，Ｈ２、Ｈ３と表し、一時記録部１０５に記録されている低画質なＧＯＰ（１つのＩ´で構成される）をＬ１，Ｌ２，Ｌ３と表している。また、Ｌ１，Ｌ２，Ｌ３をＶＬＣ１１１で可変長符号化したものをそれぞれＬ１´、Ｌ２´、Ｌ３´と表している。
【００２５】
時刻ｔ３において、高画質な画像データであるＨ１、Ｈ２、Ｈ３が記憶部１０６に記録されており、低画質な画像データ用のＤＣＴ変換係数であるＬ１、Ｌ２、Ｌ３が一時記憶部１０５に記憶されている。時刻ｔ３の時点で制御部１０７は、一時記憶部１０５に時刻Ｔ１以前のデータが記憶されているか否かの判断（ステップＳ１１４）において、記憶されていると判断するので、時刻Ｔ１以前の途中段階まで符号化した画像データＬ１を符号化部１０４のＶＬＣ１１１で可変長符号化させ（ステップＳ１１５）、完全に符号化した低画質な画像データＬ１´を記録部１０６に記録させる（ステップＳ１１６）。
【００２６】
また、制御部１０７は、このとき対応する高画質な画像データＨ１を記録部１０６から削除させ（ステップＳ１１７）、同時に低画質な画像データ用の量子化したＤＣＴ変換係数であるＬ１を一時記憶部１０５から削除させる（ステップＳ１１８）。
【００２７】
次に時刻ｔ３と時刻ｔ４の間に事象検出部１１６が、事象を検出し、制御部１０７が事象検出フラグをセットする。
【００２８】
時刻ｔ４において、低画質な画像データであるＬ１´と高画質な画像データであるＨ２、Ｈ３、Ｈ４が記録部１０６に記録されており、低画質な画像データ用に所定の高周波係数が削除された量子化後のＤＣＴ変換係数であるＬ２、Ｌ３、Ｌ４が一時記憶部１０５に記憶されている。時刻ｔ４の時点で制御部１０７は、事象の検出有無の判断（ステップＳ１０６）において、事象が検出されたと判断するので、一時記憶部１０５に記憶されている低画質な画像データ用の量子化したＤＣＴ変換係数（Ｌ２、Ｌ３、Ｌ４）を全て削除させ（ステップＳ１０７）、事象発生後の記録時間をＸ２にセットする（ステップＳ１０８）。その後、事象検出フラグを解除する（ステップＳ１０９）。
【００２９】
次に時刻ｔ５の時点で制御部１０７は、事象発生後の画像データ記録中か否かの判断（ステップＳ１１０）において、画像データ記録中と判断するので、変数を更新する（ステップＳ１１１）。つまり、このときには低画質な画像データ用に所定の高周波係数が削除された量子化後のＤＣＴ変換係数であるＬ５、Ｌ６は一時記憶部１０５に記憶されない。
【００３０】
時刻ｔ６の時点で制御部１０７は、事象発生後の画像データ記録中な否かの判断（ステップＳ１１０）において、データ記録終了と判断するので、ステップＳ１１２へ移行し、時刻ｔ０で説明した処理と同じ処理手順へ移行する。
【００３１】
尚、高周波削除１１７により所定の高周波係数を削除する手順は、まず、１マクロブロックに割り当てられるメモリ容量［ＳＩＺＥ  ＭＢ］を、一時記憶部１０５の容量［ＳＩＺＥ］と、事象発生前の記録時間［Ｔ１］と、間欠時間［ｔｄ］に基づいて、下記の式により算出し、１マクロブロックに割り当てられるメモリ容量を超える手前まで、ＤＣ係数からジグザグスキャン順に量子化後のＤＣＴ変換係数を、一時記憶部１０６に記憶していくことで実現される。
【００３２】
【数１】
2007019817.tif 000003
【００３３】
図４は、高周波係数の削除例を示す図である。図では、１マクロブロックに割り当てられるメモリ容量に、量子化後のＤＣＴ変換係数を１５係数まで記憶できる場合の削除例を示している。また、このようにジグザグスキャン順に量子化後の変換係数を残すことで、視覚特性上で重要となる低周波係数を優先的に保持することができ、低画質な画像データに変換する際に画質を維持しやすい。
【００３４】
以上のように、本発明の実施の形態１における画像符号化装置によれば、Ｉピクチャの量子化後のＤＣＴ変換係数に対して所定の高周波係数を削除して記憶する一時記憶部を設け、Ｔ１時間事象が発生しない場合には一時記憶部の量子化後のＤＣＴ変換係数に対してＶＬＣを行って記録部に記録し、対応する高画質な画像データを記録部から削除することにより、必要とするメモリ容量及び映像記録部へのデータ転送量を抑制し、且つ事象発生前後の高画質な画像データを記録することができる。また、通常時、即ち異常な事象が発生しない状態では、低画質な間欠画像データを記録部に記録されるため、記録部の記憶容量を節約でき、より長時間の記録や、画像符号化装置の製造コスト低減が可能となる。
【００３５】
図５は、本発明の実施の形態２における画像符号化装置の内部構成を示すブロック図である。実施の形態１と比較して、ユーザーの入力を受け付ける入力部２０９と、符号化部２０４内に、記憶部２０６から読み出した高画質な画像データの可変長復号化を行うＶＬＤ（Variable Length Decoding)２１９とが付加された点が異なる。その他の構成は実施の形態１のそれと同じであるため、説明を省略する。
【００３６】
図６は、本発明の実施の形態２における画像符号化装置の動作手順を示すフロー図である。まず、第1の実施の形態と同様に動作して、事象発生時に前後の画像を高画質な画像データとして記憶部２０６に記録し、事象発生前後以外は、低画質な画像データを記録部２０６に記録する。次に、高画質な画像データを事象発生後にユーザーが確認して（ステップＳ２０１）、データの要・不要の判断（ステップＳ２０２）において不要と判断した場合、事象発生前後以外の画像データと同様に、低画質な画像データに変換して、記録部２０６に記録する。
【００３７】
そのため、まず入力部２０９により、ユーザーが不要と判断して、指定した高画質な画像データを、制御部２０７が判別し、記録部２０６から該当する高画質な画像データを読み出し（ステップＳ２０３）、ＶＬＤ２１９で可変長復号化を行う（ステップＳ２０４）。次に、高周波削除２２８で所定の高周波係数を削除し（ステップＳ２０５）、復号した量子化後のＤＣＴ変換係数に対して、再びＶＬＣ２１２で可変長符号化を行って低画質な画像データを作成する（ステップＳ２０６）。この低画質な画像データを記録部２０６に記録し（ステップＳ２０７）、先程読み出した高画質な画像データは記録部２０６から削除する（ステップＳ２０８）。尚、低画質な画像データへの変換は、高画質な画像データのＩピクチャのみに対して行い、Ｐ及びＢピクチャに対しては行わない。また、高画質な画像データの削除はＧＯＰ単位で行う。
【００３８】
以上のように本発明の実施の形態２における画像符号化装置によれば、ユーザーが事象発生前後の高画質な画像データを確認し、不要と判断した場合に、不要な高画質な画像データを指定できる入力部と、符号化部に高画質な画像データの可変長復号化を行うＶＬＤとを設けることにより、不要と判断された事象に関連する高画質な画像データが、低画質な間欠画像データに順次変換されるため、記録部の記憶容量を節約でき、より長時間の記録や、画像符号化装置の製造コスト低減が可能となる。
【００３９】
図７は、本発明の実施の形態３における画像符号化装置の内部構成を示すブロック図である。実施の形態１と比較して、事象発生前の記録時間［Ｔ１］と、事象発生後の記録時間［Ｔ２］と、間欠時間［ｔｄ］とをユーザーが入力するための入力部３０９と、ユーザーの入力したパラメータにより決定された高周波係数を削除した低画質な復号画像データであるデジタル信号をアナログ信号に変換するＤ／Ａ変換器３１０と、アナログ信号を画像として表示する表示部３１１とが付加された点が異なる。その他の構成は実施の形態１のそれと同じであるため、説明を省略する。
【００４０】
図８は、表示部３１１のユーザーインターフェース例を模式的に示す図である。ユーザーインターフェース４０１は、ユーザが入力を行う入力部４０２と、入力部４０２により入力したパラメータで決定された高周波係数を削除した低画質な復号画像データを表示する表示部４０３を有する。ここで、入力部４０２は、事象発生前の録画時間［Ｔ１］の入力用フォーム４０４と、事象発生後の録画時間［Ｔ２］の入力用フォーム４０５と、間欠時間［ｔｄ］の入力用フォーム４０６と、前記３つの入力フォームに入力した値により決定した高周波係数を削除した低画質な復号化画像データの表示を実行する実行ボタン４０７と、実行状態から停止状態に移行するための停止ボタン４０８を有する。
【００４１】
図９は、本発明の実施の形態３における画像符号化装置の動作手順を示すフロー図である。まず、ユーザーが事象発生前の録画時間［Ｔ１］の入力用フォーム４０４と、事象発生後の録画時間［Ｔ２］の入力用フォーム４０５と、間欠時間［ｔｄ］の入力用フォーム４０６に値を入力して（ステップＳ３０１）、実行ボタン４０７を押下すると（ステップＳ３０２）、制御部３０７は、入力されたパラメータ（Ｔ１、Ｔ２、ｔｄ）の書き込みを行う（ステップＳ３０３）。
【００４２】
符号化部３０４は、最初に１フレーム分の符号化を行う（ステップＳ３０４）。そして、符号化したフレームがＩピクチャであるか否かの判断と（ステップＳ３０５）、停止ボタン押下の有無の判断を行い（ステップＳ３０６）、符号化したフレームがＰピクチャやＢピクチャの場合、または停止ボタンが押下されている場合は、その後の処理を実行せずに次のフレームの符号化に進む。
【００４３】
一方、符号化したフレームがＩピクチャで且つ停止ボタンが押下されていない場合、入力されたパラメータ（Ｔ１、Ｔ２、ｔｄ）の読み込みを行い（ステップＳ３０７）、制御部３０７は、設定したパラメータに基づいて上記に示した削除する高周波係数の決定式により削除する高周波係数を決定する（ステップＳ３０８）。尚、上述の式において、一時記憶部３０５の容量［ＳＩＺＥ］はハード設計時に決定されるため、通常はユーザーの調整項目にはならない。一方、１フレームのマクロブロック数は符号化を行う画像の解像度によって決定されるため、解像度を変更できるシステムでは、ユーザーが設定できるようにユーザーインターフェース４０１に解像度の設定を含めても良い。
【００４４】
その後、符号化部３０４において、決定した高周波係数を削除し（ステップＳ３０９）、削除した量子化後のＤＣＴ係数を逆量子化３１５で逆量子化し（ステップＳ３１０）、さらに逆ＤＣＴ３１６で逆ＤＣＴして低画質な画像データを復号する（ステップＳ３１１）。次に、復号化した低画質な画像データを表示部４０３に表示する（ステップＳ３１２）。この際、実施の形態１で示したように低画質な画像データは、Ｉピクチャ毎に作成されるため、間欠時間の入力フォーム４０６で指定した時間毎に、表示部４０３の画像が更新される。
【００４５】
以上のように本発明の実施の形態３における画像符号化装置によれば、ユーザーが事象発生の前後に画像データを記録したい時間と、事象未発生時に間引いて画像データを記録する間欠記録時間をパラメータとして入力する入力部と、ユーザーが設定したパラメータにより記憶される画像データの画質を確認する表示部とを設けることにより、ユーザーは自分が設定したパラメータにより記録される、低画質な間欠画像データの画質を確認しながらパラメータを決定することができる。
【００４６】
尚、以上の説明では、符号化部１０４をＭＰＥＧで構成した例について説明したが、その他の圧縮方式、例えばウェーブレット変換などについても同様に実施可能であることは言うまでもない。
【産業上の利用可能性】
【００４７】
以上のように、本発明にかかる画像符号化装置は、必要とするメモリ容量及び映像記録部へのデータ転送量を抑制し、且つ事象発生前後の高画質な画像データを記録することができるという効果を有し、監視対象の映像を記録する映像監視システムの画像符号化装置等において有用である。
【図面の簡単な説明】
【００４８】
【図１】本発明の実施の形態１における画像符号化装置の内部構成を示すブロック図
【図２】本発明の実施の形態１における画像符号化装置の動作手順を示すフロー図
【図３】本発明の実施の形態１における画像符号化装置の、記憶部及び一時記憶部内の画像データの状態を示す図
【図４】高周波係数の削除例を示す図
【図５】本発明の実施の形態２における画像符号化装置の内部構成を示すブロック図
【図６】本発明の実施の形態２における画像符号化装置の動作手順を示すフロー図
【図７】本発明の実施の形態３における画像符号化装置の内部構成を示すブロック図
【図８】表示部のユーザーインターフェース例を模式的に示す図
【図９】本発明の実施の形態３における画像符号化装置の動作手順を示すフロー図
【図１０】従来の映像監視システムにおける画像符号化装置の構成を示すブロック図
【符号の説明】
【００４９】
１０１、２０１、３０１  画像符号化装置
１０２、２０２、３０２  固体撮像素子
１０３、２０３、３０３  Ａ／Ｄ変換器
１０４、２０４、３０４  符号化部
１０５、２０５、３０５  一時記憶部
１０６、２０６、３０６  記録部
１０７、２０７、３０７  制御部
１０８、２０８、３０８  事象検出部
１０９、２１０、３１２  ＤＣＴ
１１０、２１１、３１３  量子化
１１１、２１２、３１４  ＶＬＣ
１１２、２１３、３１５  逆量子化
１１３、２１４、３１６  逆ＤＣＴ
１１４、２１５、３１７  フレームメモリ
１１５、２１６、３１８  動き補償
１１６、２１７、３１９  動きベクトル検出
１１７、２１８、３２０  高周波削除
２０９、３０９  入力部
２１９  ＶＬＤ
３１０  Ｄ／Ａ変換器
３１１  表示部
【図１】
2007019817.tif 000004
【図２】
2007019817.tif 000005
【図３】
2007019817.tif 000006
【図４】
2007019817.tif 000007
【図５】
2007019817.tif 000008
【図６】
2007019817.tif 000009
【図７】
2007019817.tif 000010
【図８】
2007019817.tif 000011
【図９】
2007019817.tif 000012
【図１０】
2007019817.tif 000013